(57)【要約】      （修正有）【課題】自動環境適応調整型監視カメラの提供。【解決手段】光学感知ユニットは影像信号の読み取りと転換を行う。影像処理ユニットは該光学感知ユニットからの映像信号を処理し影像を出力する。光学レンズセットは光学信号を該光学感知ユニットに投射し、且つ該影像処理ユニットと接続し光学レンズセットの操作パラメーターを調整する。マイクロプロセッサーは該影像処理ユニットと少なくとも１個の自動制御ユニットに接続し、内部ロジック演算により操作パラメーターデータの調整値を生じる。記憶ユニットは予め設定された操作パラメーターデータを保存し、且つそれぞれ該マイクロプロセッサー及び該影像処理ユニットと操作パラメーターデータの連結を形成する。こうして予め設定された操作パラメーターを保存し、即時に自動調整する機能を兼備えるため、各種異なる外在環境の条件に適用し、安定した影像読み取り機能と効果を提供することができる。【選択図】図２
2008067170.tif 000002
【特許請求の範囲】
【請求項１】
光学感知ユニット、影像処理ユニット、光学レンズセット、マイクロプロセッサー及び記憶ユニットを含み、
該光学感知ユニットは光学信号を電子信号に転換し、影像読み取りに提供し、
該影像処理ユニットは該光学感知ユニットから受信した映像信号を処理し、影像を出力し、且つ該影像処理ユニットは該光学感知ユニットに制御信号を提供し、操作パラメーターを調整し、
該光学レンズセットは機体外部の光学信号を該光学感知ユニットに投射し、且つ該影像処理ユニットと接続し、操作パラメーターを調整し、
該マイクロプロセッサーは該影像処理ユニットと少なくとも１個の自動制御ユニットに接続し、一組以上の自動制御信号を入力し、該影像処理ユニットが出力した影像の特徴値を判読し、予め設定された操作パラメーターデータの調整値を生じ、該影像処理ユニットに伝送し、修正の依拠とし、
該記憶ユニットは予め設定された操作パラメーターデータを保存し、且つそれぞれ該マイクロプロセッサー及び該影像処理ユニットと操作パラメーターデータの連結を形成することを特徴とする自動環境適応調整型監視カメラ。
【請求項２】
請求項１記載の自動環境適応調整型監視カメラにおいて、前記自動制御信号は光感知ユニットであることを特徴とする自動環境適応調整型監視カメラ。
【請求項３】
請求項１記載の自動環境適応調整型監視カメラにおいて、前記自動制御ユニットは時間の知らせと校正ができる双方向伝送のリアルタイムクロックであることを特徴とする自動環境適応調整型監視カメラ。
【発明の詳細な説明】
【技術分野】
【０００１】
本発明は一種の自動環境適応調整型監視カメラに関する。特に一種の光学感知ユニット、影像処理ユニット、光学レンズセット、マイクロプロセッサー、記憶ユニット、少なくとも１個の自動制御ユニットの組み合わせ設計により、保存とリアルタイム自動調整設定の操作パラメーターを提供し、各種の環境条件に適用可能で、操作の簡易かつ利便と安定性を具えた映像読み取り機能と効果を達成する自動環境適応調整型監視カメラに係る。
【背景技術】
【０００２】
図１に示す公知の監視カメラは、光学感知ユニット１０、影像処理ユニット２０、光学レンズセット３０、記憶ユニット４０、マイクロプロセッサー５０、手動制御ユニット６０により構成する。
該光学感知ユニット１０は影像を読み取る。
該影像処理ユニット２０は該光学感知ユニット１０から受け取る影像信号を処理し影像を出力する。
該光学レンズセット３０は光学信号を該光学感知ユニット１０に投射する。
該記憶ユニット４０は既に設定された操作パラメーターデータを保存する。
該手動制御ユニット６０はDIP SW(DUAL IN LINE PACKAGE SWITCH)或いはプッシュボタン(Push Buttons)装置で、制御信号のインターフェースを手動で入力する。
該マイクロプロセッサー５０は該手動制御ユニット６０の制御信号を受け取り、手動方式で操作パラメーターを調整し、こうして影像読み取り機能を提供する。
しかし、該公知の監視カメラは影像を読み取ることはできるが、外部の実際の操作環境に応じて操作パラメーターを即時修正することはできない。よって、該監視カメラを異なる環境或いは場合において使用可能とするため、使用者は必要に応じて恒常的に手動で調整と設定を行い、該記憶ユニット４０に暫定操作パラメーターを保存しなければならない。
すなわち、元々設定されたパラメーターデータは２４時間監視或いは様々な季節と地区において使用されるカメラへの同時適用には不十分で、且つ安定した影像読み取り機能と効果を提供することはできない。もし恒常的に手動調整を必要とするなら、操作と使用の不便を格段に増加してしまうため、実際の使用において使用者の必要に符合しない。
【発明の開示】
【発明が解決しようとする課題】
【０００３】
本発明の主な目的は自動環境適応調整型監視カメラを提供する。
それは光学感知ユニット、影像処理ユニット、光学レンズセット、マイクロプロセッサー、記憶ユニット及び少なくとも１個の自動制御ユニットを組み合わせ設計し、
該マイクロプロセッサーは該少なくとも１個の自動制御ユニットが発信する信号をリアルタイムで受信し、該影像処理ユニットが出力する影像の特徴値を判読し、ロジック演算の後、予め設定された操作パラメーターデータ(焦点距離、シャッター、自動ホワイトバランスなどの操作の設定値)に対する調整値を生じ、こうして予め設定された操作パラメーターを保存し、即時に自動調整する機能を備えるため、各種環境の条件での使用時に操作の簡易性と利便性を達成し、また安定した影像読み取り機能と効果を提供することができる。
【０００４】
またそれは、光学感知ユニット、影像処理ユニット、光学レンズセット、マイクロプロセッサー、記憶ユニット及び少なくとも１個の自動制御ユニットを含み、
該光学感知ユニットは一種の影像感知装置で、光学信号を電子信号に転換し、影像の読み取りを行い、
該影像処理ユニットは該光学感知ユニットからの映像信号を処理し影像を出力し、
該光学レンズセットは機体外部の光学信号を該光学感知ユニットに投射し、且つ該影像処理ユニットと接続し光学操作パラメーターを調整し、
該マイクロプロセッサーはそれぞれ該影像処理ユニットと該少なくとも１個の自動制御ユニットに接続し、ロジック演算により予め設定された操作パラメーターデータに対する調整値を生じ、該影像処理ユニットに提供し、パラメーター修正の依拠とし、
該記憶ユニットは予め設定された操作パラメーターデータを保存し、且つそれぞれ該マイクロプロセッサー及び該影像処理ユニットと操作パラメーターデータの連結を形成し、  こうして本発明の予め設定された操作パラメーターは即時自動調整の機能を具え、操作パラメーターに対して恒常的な手動調整を実施する必要がなく、各種環境条件に適用可能で、操作の利便性と安定した影像読み取り機能及び効果を達成することを特徴とする自動環境適応調整型監視カメラである。
【課題を解決するための手段】
【０００５】
請求項１の発明は、光学感知ユニット、影像処理ユニット、光学レンズセット、マイクロプロセッサー及び記憶ユニットを含み、
該光学感知ユニットは光学信号を電子信号に転換し、影像読み取りに提供し、
該影像処理ユニットは該光学感知ユニットから受信した映像信号を処理し、影像を出力し、且つ該影像処理ユニットは該光学感知ユニットに制御信号を提供し、操作パラメーターを調整し、
該光学レンズセットは機体外部の光学信号を該光学感知ユニットに投射し、且つ該影像処理ユニットと接続し、操作パラメーターを調整し、
該マイクロプロセッサーは該影像処理ユニットと少なくとも１個の自動制御ユニットに接続し、一組以上の自動制御信号を入力し、該影像処理ユニットが出力した影像の特徴値を判読し、予め設定された操作パラメーターデータの調整値を生じ、該影像処理ユニットに伝送し、修正の依拠とし、
該記憶ユニットは予め設定された操作パラメーターデータを保存し、且つそれぞれ該マイクロプロセッサー及び該影像処理ユニットと操作パラメーターデータの連結を形成することを特徴とする自動環境適応調整型監視カメラとしている。
請求項２の発明は、請求項１記載の自動環境適応調整型監視カメラにおいて、前記自動制御信号は光感知ユニットであることを特徴とする自動環境適応調整型監視カメラとしている。
請求項３の発明は、請求項１記載の自動環境適応調整型監視カメラにおいて、前記自動制御ユニットは時間の知らせと校正ができる双方向伝送のリアルタイムクロック(Real-Time Clock)であることを特徴とする自動環境適応調整型監視カメラとしている。
【発明の効果】
【０００６】
本発明は予め設定された操作パラメーターを保存し、即時に調整する機能を兼備えるため、使用者の必要に応じて、各種異なる外在環境の条件(日中、夜間、季節、地区など)に適用し、操作の簡易性と利便性を達成し、また安定した影像読み取り機能と効果を提供することができる。
【発明を実施するための最良の形態】
【０００７】
先ず図２に示すように、本発明自動環境適応調整型監視カメラは光学感知ユニット１０、影像処理ユニット２０、光学レンズセット３０、マイクロプロセッサー５０、記憶ユニット４０を含む。
該光学感知ユニット１０は一種の影像感知装置で、外部の光学信号を電子信号に転換し、影像読み取りに提供する。
該影像処理ユニット２０は該光学感知ユニット１０から受信した光学信号を処理し、影像を出力し、且つ該影像処理ユニット２０は該光学感知ユニット１０に制御信号を提供し、操作パラメーターの調整を実施する。
該光学レンズセット３０は機体外部の光学信号を該光学感知ユニット１０に投射し、且つ該影像処理ユニット２０と接続し、操作パラメーターを調整する。
該マイクロプロセッサー５０はそれぞれ該影像処理ユニット２０と少なくとも１個の自動制御ユニット７０に接続し、自動制御信号をロジック演算し、該影像処理ユニット２０が出力した影像の特徴値を判読する。該マイクロプロセッサー５０はプログラムロジック演算により、予め設定された操作パラメーターデータの調整値を生じる。
該自動制御ユニット７０は光感知ユニット(Light Sensing Unit)で、外在環境条件の輝度に応じて感知し、該マイクロプロセッサー５０に制御信号を発信する。また該自動制御ユニット７０は時報と時間校正双方向伝送機能を具えたリアルタイムクロック(Real-Time Clock)などその他類似の自動的に制御信号を該マイクロプロセッサー５０に発信する装置とすることができる。
該記憶ユニット４０は予め設定された操作パラメーターデータを保存し、且つそれぞれ該マイクロプロセッサー５０及び該影像処理ユニット２０と操作パラメーターデータの連結を形成する。
【０００８】
図２に示すように、上記部品により構成される本発明自動環境適応調整型監視カメラは光学感知ユニット１０、影像処理ユニット２０、光学レンズセット３０、記憶ユニット４０、マイクロプロセッサー５０、少なくとも１個の自動制御ユニット７０の組み合わせ設計により、該マイクロプロセッサー５０は連接した影像処理ユニット２０及び１個以上の自動制御ユニット７０(光感知ユニット、リアルタイムクロックなど)により、使用者の必要或いはそれぞれ異なる外在環境条件に応じて、それぞれ一組以上の自動制御信号を該マイクロプロセッサー５０に入力する。該多数組の制御信号をロジック演算、判読し、該影像処理ユニット２０が出力した影像の特徴値を判読する。該マイクロプロセッサー５０は該記憶ユニット４０に予め設定された操作パラメーターデータに対して調整値を生じ、該影像処理ユニット２０に伝送する。該影像処理ユニット２０は該記憶ユニット４０に保存されている予め設定された操作パラメーターデータと結合し、最適な操作パラメーターに修正する。こうしてパラメーター選択の依拠とし、これに相対し該光学感知ユニット１０と該光学レンズセット３０のパラメーターを制御し設定し、最良の読み取り影像を生じる。
【図面の簡単な説明】
【０００９】
【図１】公知の監視カメラのブロックチャートである。
【図２】本発明自動環境適応調整型監視カメラのブロックチャートである。
【符号の説明】
【００１０】
１０  光学感知ユニット
２０  影像処理ユニット
３０  光学レンズセット
４０  記憶ユニット
５０  マイクロプロセッサー
６０  手動制御ユニット
７０  自動制御ユニット
【図１】
2008067170.tif 000003
【図２】
2008067170.tif 000004